(57)【要約】      （修正有）【課題】対面席の人に飛沫が飛ぶのを防ぎつつ、物のやり取りや、声の通りを阻害しにくく、さらには構造的に安定な、仕切りを提供する。【解決手段】台設置用の自立する仕切りであって、透明な仕切り板２と、仕切り板に取り付けられた脚部３からなり、台と仕切り板の間が離れている。また透明な仕切り板に、その上面に沿って棒状の補強材がとりつけられている。台と仕切り板の間が十分に離れているので、対面席の人に飛沫が飛ぶのを防ぎつつも、物のやり取り、声の通りは阻害しにくくできる。また、仕切り板に補強材をとりつけることで、構造的に安定させることができる。【選択図】図１
0003227429.tif 000002
【実用新案登録請求の範囲】
【請求項１】
台設置用の自立する仕切りであって、透明な仕切り板と、仕切り板に取り付けられた脚部からなり、台と仕切り板の間が離れている仕切り。
【請求項２】
透明な仕切り板に、その上面に沿って棒状の補強材がとりつけられた、請求項１の仕切り。
【考案の詳細な説明】
【技術分野】
【０００１】
本考案は台設置用の仕切りに関する。さらに詳しくは、テーブルや座卓の対面席に飛沫が飛ぶのを防ぎつつも、物のやり取りや声の通りを阻害しにくい、仕切りに関する。
【背景技術】
【０００２】
新型コロナウイルスの感染拡大により、多数の人が亡くなり、医療体制も逼迫するなど、多くの影響が出ており、各所で感染拡大を防止するための対策が求められている。当然ながら、多数の人が同じ場所で食事をする飲食店も、感染拡大防止の対策が求められている。
感染拡大防止の対策として、飲食店では、座席の間隔を拡げたり、消毒を徹底したりしている。さらに、政府の専門家会議が「「新しい生活様式」の実践例」を公表し、その中で「対面でなく横並びで座ろう」と呼び掛けているが、これについては、テーブル主体の飲食店においては、横並びに座るのは難しい場合がある。
これに対し、テーブルの対面位置に仕切りを設置して、飛沫が飛ぶのを防ごうという動きがある。対面位置に仕切りを設置して、飛沫が飛ぶことを防ぐ仕切りは、複数、公開されているが（例えば、特許文献１図６）、仕切りを設置すると、メニューや料理のやり取りが不便になったり、声が通りづらくなって、会話が聞こえにくくなるなどの問題点があった。
【先行技術文献】
【特許文献】
【０００３】
【特許文献１】実用新案登録第３１５２４９３号
【考案の概要】
【考案が解決しようとする課題】
【０００４】
本考案の目的は、対面席に飛沫が飛ぶのを防ぎつつ、物のやり取りや、声の通りを阻害しにくい仕切りを提供することである。さらには構造的にも安定な、仕切りを提供することである。
【課題を解決するための手段】
【０００５】
本考案者は種々検討の結果、仕切り板と脚部からなる仕切りの、仕切り板の位置を上にずらして台との間に空間を作り、さらに、仕切り板に補強材を取り付けることで、上記課題を解決できることを見出し、本考案に相当した。
すなわち、本考案は、下記の通りである。
１.台設置用の自立する仕切りであって、透明な仕切り板と、仕切り板に取り付けられた脚部からなり、台と仕切り板の間が離れている仕切り。
２．透明な仕切り板に、その上面に沿って棒状の補強材がとりつけられた、請求項１の仕切り。
【考案の効果】
【０００６】
本考案の仕切りを用いれば、対面席に飛沫が飛ぶのを防ぎつつ、物のやり取り、声の通りは阻害しにくくできる。また、仕切り板に補強材をとりつければ、構造的にも安定させることができる。
【図面の簡単な説明】
【０００７】
【図１】本考案の１実施例で、２人席に対応した仕切りを示した。
【図２】本考案の１実施例で、４人席に対応した仕切りを示した。仕切り板上面に沿って棒状の補強材が取り付けられている。
【図３】本考案の２人席用の仕切りをテーブルに設置した様子を示した（テーブルは天板のみ記載）。
【考案を実施するための形態】
【０００８】
以下に、本考案を説明する。
本考案は台設置用の仕切りであるが、ここでいう台とは、物を置くことができる台であって、具体的には、テーブル、座卓、机が挙げられる。本考案の仕切りは、床に直接置くのでなく、テーブル等の台に置いて使用する。
【０００９】
本考案の仕切り１は、仕切り板２と、仕切り板に取り付けられる脚部３からなる（図１）。仕切り板の形状は、特に限定されないが、典型的には長方形である。仕切り板の角は面取りされていてもよい。
仕切り板は透明であるが、対面に座った人が透視可能な程度に透明であればよい。可視光線透過率７０〜１００%であればより好ましい。仕切り板の材料は、透明な樹脂で、例えばアクリル樹脂（メタクリル樹脂）、ポリカーボネートを使うことができる。
仕切り板の大きさは、会話をした際に生じる飛沫が、仕切りの向こう側に飛ばないのに十分な大きさにする。高さ方向の長さは、例えば、大人の胸〜頭上少し上くらいで、５０〜７０ｃｍ程度とすることができる。幅方向の長さは、例えば２人テーブル用であれば、４０〜６０ｃｍ（図１）、４人用であれば、９０〜１１０ｃｍ（図２）、６人用であれば１５０〜１７０ｃｍとすることができる。
仕切り板の厚さに特に制限はないが、２〜４ｍｍであればより好ましい。
幅方向の長さが、７５ｃｍを超えるときは、仕切り板がたわみやすくなるので、仕切り板の上面に沿って、棒状の補強材４を取り付けるのが好ましい（図２）。
【００１０】
本発明の仕切りは脚部により自立する。脚部は仕切り板の幅方向の端、あるいは端からやや中心よりに１つずつ、計２つ取り付けることができる。脚部は仕切り板に後から接着して取り付けてもよいが、一体成形で初めから取り付けられていてもよい。
脚部は、仕切りが安定して自立できる構造にする。具体的には、仕切り板と直角方向に取り付けるのがより好ましく、台との接地部分の幅方向の長さも十分なもの、例えば１０〜３０ｃｍとするのがより好ましい。さらに具体的には、脚部の形状は、例えば、等脚台形状として、両底の中心を通る直線に沿って、仕切り板を接着してもよい。脚部の材料に特に制限はないが、仕切り板と同じ材料を用いてもよい。
本発明の仕切りは脚部により自立するので、既存のテーブル等の台に置くだけで気軽に設置できる（図３）。
【００１１】
仕切り板は脚部によって自立していて、仕切り板と台との間は離れている。仕切り板は台と直接接しない。
本発明の仕切りは、仕切り板そのものが上にずれているので、単に仕切り板に開口部を設けたときよりも、大きな空間ができることになり、メニューなどの物のやり取りがしやすく、声の通りもよくすることができる。さらに、開口部を開けるための加工が不要になるので、製造工程を簡素化できる。
台と仕切り板の離間距離は、具体的には、飛沫が飛ぶのを防ぐことと、物のやり取りのしやすさを勘案して、１０〜３０ｃｍがより好ましく、１５〜２５ｃｍであればさらに好ましい。なお、ここでいう離間距離とは仕切り板と台が最も近づいている部分での離間距離である。
【００１２】
本発明の仕切りは、既存のテーブル等の台の、客が座る席の対面位置に置いて使用する。
【産業上の利用可能性】
【００１３】
本考案の仕切りは、対面席に飛沫が飛ぶのを防ぎつつ、物のやり取りはしやすく、声の通りも阻害しにくくできるので、対面での会話が重要な業界、例えば飲食業界においての感染症の拡大防止に有用である。
【符号の説明】
【００１４】
１  仕切り
２  仕切り板
３  脚部
４  補強材
５  テーブルの天板
【図１】
0003227429.tif 000003
【図２】
0003227429.tif 000004
【図３】
0003227429.tif 000005